(57)【要約】着脱・移動等が容易で、各種物品を吊下可能な吊下支持具を提供する。矩形状を成す板状部材の対向する二辺２０ａ，２０ｂの近傍に、細長形状の開口２２ａ，２２ｂを形成し、この開口の一方２２ａにバンド１０の一端１０ａを取り付けると共に、開口２２ａ，２２ｂ間に形成された中仕切板２３に、手荷物等を吊り下げ可能と成す、例えばフック形状の係止具３０を設ける。このバンド１０には、バンド１０を被取付部５に巻回した際に外周側となる平面に、バンドの長さ方向の略半分に位置して雄の面ファスナー１２ｂを設けると共に、他の略半分に雌の面ファスナー１２ａが設けられている。
2002040763.tif 000002
【特許請求の範囲】
【請求項１】
雄及び雌の面ファスナーを備えたバンドを取付環に固着し、前記取付環の中仕切板に係止具を取り付けたことを特徴とする吊下支持具。
【請求項２】
前記係止具を前記中仕切板に回転可能に取り付けたことを特徴とする請求項１記載の吊下支持具。
【請求項３】
前記中仕切板と前記係止具とを、継手を介して連結したことを特徴とする請求項１又は２記載の吊下支持具。
【請求項４】
前記継手が、自在継手であることを特徴とする請求項３記載の吊下支持具。
【請求項５】
前記継手が、前記係止具の一端に一体的に形成された関節球と、前記関節球を抱持する、前記中仕切板に一体的に形成されたソケットから成ることを特徴とする請求項３又は４記載の吊下支持具。
【請求項６】
前記バンドの、被取付部との接触面に、摩擦係数の高い材質から成る滑り止めを貼着したことを特徴とする請求項１〜５いずれか１項記載の吊下支持具。
【請求項７】
前記係止具を前記中仕切板に着脱可能に取り付けたことを特徴とする請求項１〜６いずれが１項記載の吊下支持具。
【請求項８】
前記中仕切板は、前記係止具の一端が挿入される開孔を備え、該開孔に挿入される前記係止具の一端に、前記開孔よりも大径に形成されたフランジ部を形成すると共に、該フランジ部から前記係止具の一端に至る割り溝を設けたことを特徴とする請求項７記載の吊下支持具。
【請求項９】
前記中仕切板に複数の前記係止具を取り付けたことを特徴とする請求項１〜８いずれか１項記載の吊下支持具。
【請求項１０】
前記係止具は、雄部材及び雌部材に分離可能な連結部材を介して前記取付環に取り付けられて成り、前記連結部材の雄部材又は雌部材のいずれか一方を前記取付環に取り付けると共に、他方を前記係止具に取り付けたことを特徴とする請求項７記載の吊下支持具。
【請求項１１】
前記係止具が、予め準備された複数種類から選択可能である請求項７，８，１０いずれか１項記載の吊下支持具。
【請求項１２】
前記係止具がリング状であることを特徴とする請求項１〜１１いずれか１項記載の吊下支持具。
【請求項１３】
前記係止具は複数枚のリング状部材を備え、前記複数のリング状部材を相互に擺動可能に軸支して、前記複数のリング状部材が重合した収納状態と、各リング状部材の位置がずれて配置された展開状態とに擺動可能としたことを特徴とする請求項１２記載の吊下支持具。
【請求項１４】
前記係止具が、略Ｃ字状に形成された係止具本体と、前記係止具本体の開口端間を連結、開放する開閉手段から成ることを特徴とする請求項１２又は１３記載の吊下支持具。
【請求項１５】
前記係止具は、該係止具に重合外嵌してリング状を成すカバー部材を有することを特徴とする請求項１２載の吊下支持具。
【請求項１６】
前記カバー部材を略Ｃ字状と成し、略Ｃ字状に形成された前記係止具に重合して該係止具上で回転可能に設けたことを特徴とする請求項１５載の吊下支持具。
【発明の詳細な説明】
技術分野
本発明は、吊下支持具に関し、例えばベビーカーや自転車のハンドルやフレーム、ベランダの手すり、柵、物干し竿等に各種の物品を吊り下げ可能とするための吊下支持具に関する。
技術背景
鞄や衣類、その他の物品を吊り下げるためには、従来、壁や柱に釘や木ねじ等により例えばフック状を成す吊下金具を取り付け、この吊下金具に各種物品の吊下を可能としていた。
前述のような吊下金具にあっては、壁や柱等に強固に取り付けられているために、これを所望の位置に移動ないしは付け替えて使用することは困難である。
また、例えば洗濯物を干す場合にベランダの手摺りや物干し竿に洗濯物やハンガー等を吊すための係止具を取り付け、または、各種物品の収納に際してクローゼットのハンガーレール等に衣類等を吊すための係止具を取り付け、さらに、旅行や外出に際し、乗用車内に設けられた取っ手、ショッピングカート・ベビーカー・自転車等のハンドルやフレーム等に買い物袋等を吊り下げ可能な係止具等を取り付けることができれば便利である。
また、前述の場合とは逆に、物干し竿や装飾品等を例えば室内に吊す場合には、これらに例えばフック等の係止具を取り付けることができれば、物干し竿や装飾品等を鴨居やカーテンレール等に容易に吊り下げることができ便利である。
しかし、前述のような従来の吊下金具にあっては、前述した場所に取り付けることが困難であるだけでなく、かりに取り付けたとしても、取り外しが容易でなく、一旦取り付けた後には容易にその取付位置を移動させて所望の位置に付け替えることが難しい。
また、このような吊下金具を取り付ける場合には、壁や柱に孔が開いたり傷が付くことになることから、吊下金具を外した後の美観が損なわれるという欠点を有する。
そこで、本発明の目的は、上記従来技術における欠点を解消するためになされたものであり、柱や壁等に傷を付けることなく、かつ容易に着脱できると共に、取り外し後はコンパクトな形状を成し持ち運びに便利である吊下支持具を提供することを目的とする。
発明の開示
上記目的を達成するために、本発明の吊下支持具は、雄及び雌の面ファスナー１２（１２ｂ，１２ａ）を備えたバンド１０を取付環２０に固着し、前記取付環２０の中仕切板２３に、例えばフック状、その他の形状の係止具３０を取り付けたことを特徴とする。
前記係止具３０は、前記中仕切板２３に回転可能に取り付けることができ、また、これを着脱可能に取り付けることもできる。
また、前記中仕切板２３と前記係止具３０とを継手８０を介して連結し、係止具３０をこの継手８０により擺動可能としても良く、特にこの継手８０を、中仕切板２３と係止具３０の交わる角を自由に変化させることのできる自在継手とすることが好ましい。
前述の継手８０の構造としては、前記係止具３０の一端に一体的に形成された関節球８１と、前記関節球８１を抱持する、前記中仕切板２３に一体的に形成されたソケット８２により構成しても良い。
前記係止具３０の材質としては、これを弾性係数が小さく、一定の耐荷重及び耐衝撃性を有する樹脂材料、例えば、ポリカーボネイトあるいはＡＢＳ樹脂を用いることができる。
さらに、前記バンド１０の被取付部５との接触面に、例えばゴム等の摩擦係数の高い材質から成る滑り止め１４を例えば所定の間隔で貼着することもできる。
係止具３０を回転自在及び／又は着脱自在とする場合には、前記中仕切板２３に前記係止具３０の一端を挿入する開孔２５，２５を設け、この開孔２５，２５に挿入される前記係止具３０の一端に、前記開孔２５，２５よりも大径に形成されたフランジ部３２を形成すると共に、該フランジ部３２から前記係止具３０の一端に至る割り溝３４を設けても良い。
なお、前記中仕切板２３に対して前記係止具３０を複数取り付けても良い。
さらに、本発明の吊下支持具１は、前記係止具３０を雄部材４１及び雌部材４２に分離可能な連結部材４０を介して前記取付環２０に取り付けられて成り、前記連結部材４０の雄部材４１又は雌部材４２のいずれか一方（雄部材４１）を前記取付環２０に取り付けると共に、他方（雌部材４２）を前記係止具３０に取り付けることもできる。
なお、係止具３０を着脱可能とした前述の吊下支持具１にあっては、前記係止具３０を、予め準備された複数種類から選択可能としても良い。
前記係止具３０は、これをリング状とすることもでき、複数枚のリング状部材（図示の例では２つのリング状部材３０ａ，３０ｂ）を相互に擺動可能に軸支して、前記複数のリング状部材３０ａ，３０ｂが重合した収納状態と、各リング状部材の位置がずれて配置された展開状態とに擺動可能とすることが好ましい。
さらに、前記係止具３０が、Ｃ字状に形成された係止具本体３０１と、前記係止具本体３０１の開口端間を連結、開放する開閉手段３０２から成るものとして構成してしても良い。
前記係止具３０は、さらに該係止具３０に重合外嵌してリング状を成すカバー部材９０を有するものとしても良く、
前記カバー部材９０を略Ｃ字状と成し、略Ｃ字状に形成された係止具３０に重合して該係止具３０上で回転可能に設けても良い。
発明を実施するための最良の形態
つぎに、本発明の実施例について添付図面を参照しながら以下説明する。
〔実施例１〕
図１において、１は本発明の吊下支持具であり、この吊下支持具１は、バンド１０と、このバンド１０の一端１０ａに取り付けられた取付環２０と、この取付環２０に設けられた係止具３０を備えている。
前述の取付環２０は、図１に示す実施例にあっては略矩形状の矩形板の対向する二辺２０ａ，２０ｂに対して所定間隔を介して形成された細長形状の２つの開口２２ａ，２２ｂを有し、この開口２２ａ，２２ｂ間に、この開口２２ａ，２２ｂ間を仕切る中仕切板２３が形成されている。
この中仕切板２３の一方の平面には、係止具３０が取り付けられており、図１に示す実施例にあっては係止具３０である略Ｃ字状のフックが取り付けられ、本発明の吊下支持具１を被取付部５に取り付けた際に、この係止具３０に各種の物品を吊下可能と成し、又はこの係止具３０を例えば鴨居等に掛けて、吊下支持具１を取り付けた物品を吊下可能としている。
なお、この係止具３０はフックに限定されず、例えば洗濯挟みの如き構造を有し、各種物品を挟持可能に形成されたものであっても良く、その他ナス環や、登山用具として用いるカラビナの如き環状部材、その他の各種の係止具３０を取り付けることができる。
また、フックの形状についても、図１に示すように単一のフックを設ける場合のみならず、図２に示すように２つのフックを備えた係止具３０とすることもでき、また、図３（Ａ）、図３（Ｂ）及び図３（Ｃ）に示すようにジョイント部３６を設け、該部分において折り曲げないしは擺動可能に構成したものであっても良く、さらに図４に示すように、３個又はそれ以上のフックを備えるものであっても良く、また、これらの構成を組み合わせてなる形状に形成しても良い。
この係止具は、高荷重がかかった際には変形して破損を免れることができるよう、その材質を弾性係数が小さく、一定の耐荷重及び耐衝撃性を有する樹脂材料、例えば、ポリカーボネイトあるいはＡＢＳ樹脂を用いることができる。
また、この取付環２０の被取付部５と接触する側の表面には、開口２２ａ，２２ｂの長さ方向と同一方向を長さ方向と成すローレット２４を形成し（図５参照）、自転車やベビーカーのハンドル、ベランダ等の手すり、物干し竿、その他各種の被取付部５に取り付けた際に、このローレット２４の形成部分が被取付部５と接触して本発明の吊下支持具１が被取付部５上で回転する等の位置ずれが生じることを防止し得る構成としても良く、さらに、取付環２０の被取付部５と接触する部分にエラストマーあるいはゴム片８７等の滑り止めを貼着して、被取付部に取り付けた際の回転や位置ずれを防止する構成としても良い（図７参照）。
また、この取付環２０は、被取付部５に取り付けた際に、被取付部５の外形形状に従って変形する可撓性を有する部材により形成しても良く、例えば比較的肉薄に形成された金属片や、樹脂材料等により形成して、本発明の吊下支持具１を被取付部５に取り付けた際に被取付部５の表面形状に即して変形して、より被取付部材５に密着した取付が行えるよう構成することもでき、また、予めこの吊下支持具１を例えば物干し竿や、自転車・ベビーカーのハンドル等、本発明の吊下支持具１が取り付けられる被取付部５を円筒状又は円柱状のものに限定して製造する場合には、取付環２０を被取付部５の外形形状にあわせて例えば湾曲形成しても良い。
また、本実施例にあっては、係止具３０を樹脂材料により取付環２０と一体的に成型しているが、この係止具３０と取付環２０とは、後述するようにそれぞれ別個に形成されたものを組み合わせて使用しても良く、係止具３０と取付環２０とが連結された状態を維持し得るものであれば、その形成方法は限定されない。
以上のように構成された前述の取付環２０には、面ファスナー１２（１２ａ，１２ｂ）が取り付けられて成るバンド１０の一端１０ａが連結されている（図１参照）。本実施例にあっては、このバンド１０の一端１０ａと取付環２０との連結を、取付環２０に形成された一方の開口２２ａ内にバンド１０の一端１０ａを挿入し、このバンド１０の一端１０ａをバンド１０の他端１０ｂに向かって折り返すと共に、ヒートシール、縫着、その他の方法によりループ状に固着することにより行っている。
このバンド１０は、図１に示すようにその一方の平面に既知の面ファスナー１２（１２ａ，１２ｂ）が形成されたものであり、本実施例にあってはその長さ方向の約半分に多数のループの形成された雌の面ファスナー１２ａを、他の半分に、先端を例えば鈎状と成し、前記雌の面ファスナー１２ａのループに係止して面接着する雄の面ファスナー１２ｂが設けられている。
この面ファスナー１２（１２ａ，１２ｂ）は、本実施例にあってはバンド１０を被取付部５に巻回した際に、外周側に位置するようにバンドの一方の平面に設けられており、取付環２０に連結されたバンド１０の端部（以下、「連結端」という。）１０ａ側の約半分を雌の面ファスナー１２ａと成し、取付環２０に連結されていない端部（以下、「自由端」という。）１０ｂ側の約半分に雄の面ファスナー１２ｂを形成している。
このバンド１０は、例えば雄の面ファスナー１２ｂが形成されたバンドと、雌の面ファスナー１２ａが形成されたバンドとを例えばヒートシールや縫着等により連結することにより形成しても良く、また、皮革や布製のバンドの一方の面に雄及び雌の面ファスナー１２ｂ，１２ａを貼着、縫着その他の方法により取り付けて形成しても良い。
好ましくは、このバンド１０の被取付部５との接触面には、例えばゴム等から成る摩擦係数の高い材質の滑り止め１４を取り付けることが好ましい。この滑り止め１４として、本実施例にあっては図７に示すように、被取付部５と接触するバンド１０の一方の面に所定のパターンで円形のゴム片を貼着して、これにより被取付部５にバンド１０を巻回して吊下支持具１を取り付けた際の吊下支持具１の位置ずれを防止できるようにしているが、滑り止めの構成は、図示の例に限定されず、例えばゴムシート等をバンド１０の被取付部５との接触面の全面に貼着したものとしても良い。
以上のように形成された本発明の吊下支持具１の使用方法について説明すると、先ずこの吊下支持具１は、バンド１０の自由端１０ｂが取付環２０の開口２２ａから抜き取られた図１に示す状態において、取付環２０のローレット２４の形成された面を、ベビーカーのハンドル等の被取付部５に当接して、バンド１０を被取付部５に巻回し、その自由端１０ｂを取付環２０の他方の開口２２ｂ内に挿入する。
その後、このバンド１０の自由端１０ｂを引っ張る等してバンド１０を被取付部５の外周に圧接した後、このバンド１０を開口２２ｂの挿入位置において折り返し、被取付部５を巻回するバンド１０の外周上にさらにバンドの自由端１０ｂ側の一部を巻回し、既に被取付部５を巻回しているバンド１０上に重ね合わせる。
このバンド１０には、自由端１０ｂ側の約半分において雄の面ファスナー１２ｂが形成されると共に、固定端１０ａ側において長さ方向の約半分に雌の面ファスナー１２ａが形成されていることから、取付環２０の開口２２ｂ内に挿入されて折り返されたバンドの自由端１０ｂ側に形成された雄の面ファスナー１２ｂは、固定端１０ａ側に形成された雌の面ファスナー１２ａと接触して付着し、本発明の吊下支持具１が被取付部５に取り付けられる。
このようにして、被取付部５に対する吊下支持具１の取り付けが完了すると、この吊下支持具１に設けられたフック等の係止具３０に、例えば鞄や買い物袋等を吊り下げることが可能となる。
このように、本発明の吊下支持具１にあっては、手荷物等を吊り下げるための吊下支持具１を、これに設けられたバンド１０により巻回可能な外周サイズの被取付部５であればいずれの位置においても容易に取り付けることができることから、吊下支持具１を取り付けることにより所望の位置に容易に手荷物等の吊下が可能となる。
このようにして取り付けられた吊下支持具１は、バンド１０の自由端１０ｂに設けられた雄の面ファスナー１２ｂを、この雄の面ファスナー１２ｂが付着する雌の面ファスナー１２ａから剥がすと共に、取付環２０の開口２２ｂ内に挿入されたバンド１０の自由端１０ｂをこの開口２２ｂより抜き取ることにより、被取付部５から取り外すことができる。
そして、このようにして取り外された吊下支持具１は、例えばバンド１０を折り畳むことにより極めてコンパクトに収納することができ、持ち運びにも便利である。
なお、以上において説明した吊下支持具１にあっては、単一のバンド１０を備えるものとして説明したが、このバンド１０は例えば図６（Ａ）に示すように２本のバンドのそれぞれ一端を取付環２０に連結し、両バンドの他端にて被取付部５を抱持するよう取り付けるものであっても良く、また、図６（Ｂ）に示すように一のバンド１０を取付環２０に形成された開口２２ａ，２２ｂの双方に挿入し、その両端で被取付部５を抱持するよう取り付けるものであっても良く、さらに、図６（Ｃ）に示すように一端に折り返し環５０の取り付けられたバンド１０を取付環２０の開孔２２ａ，２２ｂの双方に挿入して取り付けるよう構成したものであっても良い。
なお、以上のように形成された吊下支持具１は、係止具３０に各種物品を吊す場合のみならず、上下逆転した状態において使用することもでき、例えば図８に示すようにすだれ６０の上端にこれを取り付けて、係止具３０を例えばカーテンレール７０や鴨居等に係止することにより、部屋に日除けを取り付ける等の作業に使用することもでき、また、物干し竿や各種のポール等にバンド１０を巻回して取り付け、係止具３０であるフックを例えば鴨居等に係止することにより、室内に物干し竿やポールを懸吊して、雨天時における洗濯物の室内干しや、室内装飾品等を取り付けるための基台となるポールを室内に吊り下げることもできる。
また、マンションやアパートのベランダ等において使用されている物干し竿にこの吊下支持具１を取り付け、係止具３０を物干し竿に懸吊するための鈎状の金具に取り付ける場合には、物干し竿の位置がずれ難く、例えば強風時において物干し竿が外れて洗濯物が落下して汚れたり、又は物干し竿自体がベランダがら落下することによる事故をも防止し得る。
〔実施例２〕
次に、本発明の吊下支持具１の別の実施例を図９を参照しながら以下説明する。
本実施例の吊下支持具１の係止具３０は、取付環２０の中仕切板２３に回転自在に取り付けられており、係止具３０を回転自在と成す取り付けの一例を説明すれば、図９に示す通りである。
図９において、取付環２０の中仕切板２３には係止具３０を取り付けるための開孔２５，２５が形成されており、この開孔２５，２５内に、係止具３０の一端が回転自在に挿入されている。
この開孔２５内に挿入された係止具３０の一端は、その端部外周に突出するフランジ３２が形成されており、開孔２５内に挿入された係止具３０が、このフランジ３２により開孔２５縁に係止されて脱落しないよう構成されている。
好ましくは、この係止具３０の端部には、フランジ３２を円周方向に分割する割り溝３４が、フランジ３２から係止具３０の一端に至り設けられており、例えば係止具３０の端部を摘む等してこの割り溝３４の幅を狭めるようにしてに中仕切板２５に設けられた開孔２５内に係止具３０のフランジ３２部分を挿入した後、係止具３０の端部を摘んでいた指を離すと、割り溝３４を狭めるように弾性変形されていた係止具３０の端部が開孔２５内で原形状に復帰してフランジ３２が開孔２５縁に係止されて、係止具３０を開孔２５から抜き取ることができなくなる。
なお、この開孔２５の周縁には、係止具３０の一端に形成されたフランジ３２が嵌合される座ぐり２６を形成して係止具３０の一端が、取付環２０の、被取付部５と接触する側の側面において突出することが防止され、被取付部に取り付けた際においても係止具が回転し得るように構成されている。
以上のように形成された本発明の吊下支持具１は、吊り下げられる物品の形状、サイズ等に応じて係止具３０，３０の向きを変えることができ各種の物品を吊り下げ易く便利である。また、前述の取り付けの場合とは逆の作業を行うことにより、中仕切板２３に形成された開口２５，２５から係止具３０，３０を容易に抜き取ることができ、図９に示すフック状の係止具３０，３０に代えて他の形状の係止具に交換することにより、異なる用途に使用する場合等においても容易に対応することができる。また、このようにして分解する場合には吊下支持具１が嵩張らず持ち運びに便利となる。
２つのフック状の係止具３０，３０を備える本実施例の吊下支持具１にあっては、例えば図１０に示すように係止具３０であるフックをいずれも外側に向けて、例えば洗濯した靴を干す場合等において便利である。
なお、本実施例の吊下支持具１は、前述した実施例１の場合と同様に各種物品の吊下・支持に使用することができ、また、係止具３０の形状は図９及び図１０に示すフック状のものに限定されず、前述した実施例１の場合と同様、各種の変形が可能であり、図２、図３（Ａ）〜図３（Ｃ）及び図４に示す係止具３０と同様の構成の係止具を、本実施例と同様の方法により取付環２０に回転自在に取り付けても良い。
〔実施例３〕
図１１に示す実施例にあっては、取付環２０の中仕切板２３に対する係止具３０の取付構造として、継手８０を設け、この継手８０を介して係止具３０を回転自在と成すと共に、所定の方向に揺動可能な構成としている。
図１１に示す実施例においてこの継手８０は、中仕切板２３に一体的に形成されたソケット８２により関節球８１を抱持した球関節継手であり、フック状の係止具３０の一端に前記関節球８１を一体的に形成することにより、フックを回転自在としている。
この球関節継手のソケット８２には、取付環２０に形成された開口２２ａ，２２ｂの長さ方向と平行に案内溝８３が設けられており、この案内溝８３に案内されて、係止具３０であるフックの軸端部が関節球８１を中心として擺動可能となっている。
なお、係止具３０であるフックを回転可能と成すと共に擺動可能と成す継手８０の構成は、図１１〜図１３に示す構造の球関節継手に限定されず例えば中仕切板２３とフックの端部の交わる角を自由に変化させることのできる自在継手とし、この係止具３０によりフックをあらゆる方向に擺動可能としても良く、その他既知の各種の継手としても良い。
このように構成された本実施例における吊下支持具１にあっては、例えばベビーカーのハンドル部分等、水平方向を成す被取付部５に取り付ける場合には、図１２に示すように係止具３０の軸端部が中仕切板２３に対して直交方向を成す状態で使用し、フレーム等の垂直方向を成す被取付部５に取り付ける場合には、図１３に示すように係止具３０の軸端部が中仕切板２３と当接する方向に倒された状態で使用することができ、その取付方向をいずれの方向とした場合においても好適に使用することができる。
特に、被取付部５と接触する位置の取付環２０にゴム片８７，８７等の滑り止めを貼着した構成にあっては、図１３に示すように垂直方向を成す被取付部５に取り付ける場合であっても、取付環２０が被取付部５にしっかりと固定されるので、滑り落ちて位置ずれが生じることがなく、被取付部５に段差等形成されていない場合においても本発明の吊下支持具１を取付可能である。
さらに、図１１〜図１３に示す実施例にあっては、係止具３０の軸端部の少なくとも一部を断面四角形、好ましくは断面正方形と成すと共に、この係止具３０を中仕切板２３に当接する方向に倒した際に、断面四角形に形成された軸端部が位置する部分の取付環２０に、この断面形状の一辺と略同一幅で２つの挟持片８４，８４を突設し、この挟持片８４，８４間において係止具３０の軸端部を挟持して固定することができるように構成しても良い。この場合、中仕切板２３に近接する方向に倒された係止具３０は、その軸端部が挟持片８４，８４に挟持されて固定され、図１３に示す使用状態においても係止具３０の位置を固定して安定した使用が可能であると共に、持ち運びの際には、例えば図１３における係止具を水平方向に９０°回転させた状態で係止具３０の軸端部をこの挟持片８４，８４間に挟持させることにより、吊下支持具１が嵩張らず持ち運びに便利である。
〔実施例４〕
さらに本発明の別の吊下支持具１の実施例を、図１４〜図１８を参照して説明する。
本実施例の吊下支持具１において、係止具３０は雄部材４１及び雌部材４２にそれぞれ分離可能な連結部材４０を介して取付環２０に取り付けられており、図１４に示す実施例にあっては、登山具として使用されるカラビナに類似の形状を成す環状の係止具３０に、前述の連結部材４０のうちの雌部材４２を取り付けると共に、この連結部材４０の雄部材４１を取付環２０に取り付けることにより、雄部材４１及び雌部材４２を連結することにより、取付環２０に係止具３０が連結されて吊下支持具１が形成されるよう構成されている。
この取付環２０に対する雄部材４１の取り付けは、図１４に示す実施例にあっては取付環２０と連結部材４０の雄部材４１とを一体的に形成したものとして表されているが、両者の取り付けは、前述の実施例２において説明したように、回転自在に取り付けたものであっても良く、又は実施例３において示した継手８０を介して取り付けても良く、その構成は図１４に示すものに限定されない。また、連結部材４０としては、雄部材４１と雌部材４２とに分離可能であり、かつ、各種の物品を吊り下げた際の荷重に耐え得るものであれば既知の各種のものを使用することができ、図１４に示す実施例のものに限定されない。
以上のように構成された吊下支持具１にあっては、使用される用途に応じて異なる種類、形状の係止具３０に交換可能に構成されている。
この交換用の係止具３０には、それぞれ取付環２０に取り付けられた連結部材４０の雄部材４１に連結可能な雌部材４２が取り付けられており、本実施例にあっては、図１４に示すカラビナに類似の係止具３０の他、缶やペットボトル等の各種飲料容器、哺乳瓶等を係止するドリンクホルダーから成る係止具３０（図１５参照）、吊り下げフックから成る係止具３０（図１６参照）、各種物品を収容可能なネットやバック等の係止具（図１７参照）、飲料容器等を収容・係止能な保冷・保温容器から成る係止具（図１８参照）等が予め準備されており、これらのうちの用途に合致した係止具３０を選択して取り付けることにより、バンド１０の取り外しを行うことなく容易にその目的、用途にあった吊下支持具１を得ることができる。
例えば、本実施例における吊下支持具１は、乗用車の後部座席に設けられた取っ手に取り付けて使用され、図１４に示すカラビナ状の係止具３０を使用する場合には鞄等の手荷物を吊り下げるための吊下支持具１が形成され、また、図１５の係止具３０を使用する場合には、後部座席用のドリンクホルダーを設けることができ、図１６に示す係止具３０を選択して取り付ける場合には、これに例えばスーパー等でもらったポリ袋を吊り下げてごみ箱代わりに使用したり、さらに図１７の係止具３０を取り付ける場合には、ロードマップや筆記具等を収納する収納袋として使用する等、係止具３０の取り替えにより各種の用途において使用することができる。
〔実施例５〕
さらに、本発明の別の実施例について図１９〜２２を参照して説明する。図１９に示す実施例において、係止具３０は無端環状を成し、この無端環状に形成された係止具３０に各種物品を係止可能としている。本実施例にあっては、この無端環状を成す係止具３０を備えた吊下支持具１を、例えばベビーカーのフレームに上下方向に所定間隔を介して取り付け、この２つの吊下支持具１により、下方に取り付けられた吊下支持具により傘の石突き部分周辺を、上方に取り付けられた吊下支持具により傘の柄の部分周辺を係止して、傘をベビーカーのフレームに固定している（図２２参照）。
この係止具３０は、単一のリング状を成す係止具３０とすることもできるが、図１９及び図２０に示す実施例にあっては、この吊下支持具の係止具は、相互に連結された２つのリング状部材３０ａ，３０ｂにより構成されている。
２つのリング状部材３０ａ，３０ｂの連結は、図示の例ではそれぞれのリング状部材３０ａ，３０ｂの外周より突設された連結片３７ａ，３７ｂを介して行われ、中仕切板２３に設けられたソケット８２内に抱持された関節球８１に連結された連結軸８５に、この２つのリング状部材３０ａ，３０ｂの連結片３７ａ，３７ｂを共に支軸８６により軸支して（図２１参照）、図２０に示すように２つのリング状部材３０ａ，３０ｂが位置をずらせて配置された展開状態と、図１９に示すように２つのリング状部材３０ａ，３０ｂが重なり合って配置された収納状態とに変形可能に構成されている。
もっとも、２つのリング状部材３０ａ，３０ｂは、前述のように展開状態と収納状態とに変形可能であればその連結部の構成は図２１に示す構成に限定されない。
また、図２１に示す実施例においては、球関節継手と組み合わせた例について説明しているが、リング状部材３０ａ，３０ｂは他の継手又は継手を介することなく中仕切板２３に直接取り付けても良い。
このように構成された本実施例の吊下支持具１にあっては、収納状態において重合されていた２つのリング状部材３０ａ，３０ｂを、連結片３７ａ，３７ｂを軸支する支軸８６を中心としてそれぞれ反対方向に擺動させることにより、図２０に示す展開状態となり、前述のように例えば傘を係止する場合、それぞれのリング状部材３０ａ，３０ｂに各１本づつの傘を係止することができる。
なお、図１９及び図２０に示す各リング状部材３０ａ，３０ｂは、これをそれぞれ図２３に示すように略Ｃ字状を成す係止具本体３０１と、このＣ字状の係止具本体３０１の開口端部間を連結する開閉手段３０２から成るものとし、この開閉手段３０２により前記係止具本体３０１の開口端間を開放及び連結可能としても良い。
この開閉手段３０２の構成としては、前述の係止具本体３０１の開口端部間を連結、開放可能とするものてあれば如何なる構成としても良いが、本実施例にあっては少なくとも係止具本体３０１の開口端の一方を中空形状と成す中空室３０３を形成し、この中空室３０３内に開閉手段３０２である湾曲した棒状部材を進退移動可能に挿入している。
中空室３０３内には、開閉手段３０２である湾曲した棒を係止具本体３０１の開口部の他端方向に付勢するスプリング等の付勢手段３０４を設けても良く、このように構成することにより、開閉手段３０２を前記係止具本体３０１の開口部他端側にスライドさせることにより、開閉手段３０２が係止具本体３０１の開口部を常時閉じた状態に維持すると共に、この付勢手段による付勢力に抗して、開閉手段３０２を中空室３０３内に押し込むと、係止具本体３０１の開口部が開き、この部分を介して傘等の被固定物をこの係止具３０内に容易に挿入することができる。
なお、開閉手段３０２の構成は、図示の例に限定されず、係止具本体３０１の開孔端間を開閉し得るものであれば如何なる構成としても良い。
〔実施例５〕
さらに、本発明の吊下支持具１の係止具３０は、図２４及び図２５に示すようにカバー部材９０を備えるものであっても良く、例えば略Ｃ字状に形成された係止具３０にこのカバー部材９０を重合外嵌することにより、係止具３０をリング状と成すことができるよう構成しても良い。
このように、係止具３０がこれに重合外嵌されるカバー部材９０を備える場合には、例えば係止具３０をフック状の形状にて使用すると被吊下物の脱落等が生じるおそれがある場合には、このカバー部材９０を装着して係止具３０をリング状と成す等、吊下支持具１の用途に応じてこのカバー部材９０を着脱することにより、カバー部材９０の装着されたリング状のものと、カバー部材９０が装着される前の形状との間で係止具３０の形状を適宜に選択することができる等の利点がある。
なお、係止具３０を図２４及び図２５に示すような略Ｃ字状のフックとした場合には、このカバー部材９０の形状を図２５に示すように略Ｃ字状とし、このカバー部材９０を係止具３０に重合外嵌させた状態で係止具３０上で回転可能とすることもできる。
このように形成された吊下支持具１にあっては、略Ｃ字状を成す係止具３０の切欠部分と、略Ｃ字状のカバー部材の切欠部分とを位置合わせして重合外嵌すした状態にあっては、両者により形成される係止具の形状は略Ｃ字状であり、この切欠部分を介して例えば鞄の提手等を係止具に係止可能であると共に、このようにして提手を係止した後にカバー部材９０を図２５中矢印の方向に回転させて係止具３０の切欠と、カバー部材９０の切欠を位置ずれさせると、係止具は全体としてリング状を成し、係止具に係止された提手等を抜き取ることができなくなる。
以上において説明した本発明の各構成により、被取付部に対して容易に取り付けることができ、かつ使用後ないしは不使用時においてはこれを容易に取り外すことができると共に、取り外し後はコンパクトな形状を成し持ち運びに便利である吊下支持具を提供することができた。
また、上記構成の吊下支持具において、係止具を中仕切板に回転可能に取り付ける場合には、これを所望の向きに回転させて各種の物品を吊り下げることができ、作業が容易である。
中仕切板と係止具間の連結を、継手を介して行う場合には、吊下支持具の取付方向に応じて係止具を所望の方向に擺動させるとこができた。
また、バンドの被取付部との接触面に摩擦係数の高い材質から成る滑り止めを取り付けた場合には、被取付部において吊下支持具の位置ずれが生じることを好適に防止することができた。
さらに、係止具を中仕切板に着脱可能に取り付ける場合には、分解、組立が容易で持ち運びに便利であり、特に、各種の係止具から所望の用途にあったものを選択して付け替え可能とする場合には、共通の部品を使用して各種の用途に対応した吊下支持具を得ることができ便利である。
係止具をリング状とした吊下支持具にあっては、二個一組として使用することで傘等の長尺の被吊下物を固定するに便利であり、各吊下支持具に複数のリング状部材を設けた場合には、このような長尺の被吊下物を同時に複数係止することが可能であった。
さらに、このリング状部材を略Ｃ字状に形成された係止具本体と、この係止具本体の開口端部間を開放、連結する開閉手段とにより形成した吊下支持具にあっては、前記開閉手段の操作により係止具本体の開口端部間を開放することにより、リング状部材内に被吊下物を容易に挿入可能である。
さらに、係止具に重合外嵌するカバー部材を備えた吊下支持具にあっては、カバー部材の着脱又は回転により係止具の形状を変えることができ、用途に応じて係止具の形状を選択的の変更することが容易である。
【図面の簡単な説明】
図１は、本発明の吊下支持具の斜視図。
図２は、取付環及び係止具の斜視図。
図３は、取付環及び係止具の斜視図であり、（Ａ）、（Ｂ）及び（Ｃ）はそれぞれ異なる可動状態を成すジョイント部を有する。
図４は、３つの係止具の取り付けられた取付環の斜視図。
図５は、吊下支持具の取り付け状態を示す説明図。
図６は、バンドと取付環の取り付け例を示す説明図であり、（Ａ）は二本のバンドを使用した例、（Ｂ）及び（Ｃ）は一本のバンドを使用した例。
図７は、被取付部と接触される側から見た吊下支持具の斜視図。
図８は、本発明の吊下支持具の使用例を示す説明図。
図９は、係止具を回転可能とした吊下支持具の分解斜視図。
図１０は、図９の吊下支持具の使用例を示す斜視図。
図１１は、中仕切板と係止具間に継手を配した吊下支持具の要部断面図。
図１２は、図１１における吊下支持具の取付状態の一例を示す斜視図。
図１３は、図１１における吊下支持具の取付状態の一例を示す斜視図。
図１４は、連結部材を備えた吊下支持具の斜視図。
図１５は、付け替え用係止具（ドリンクホルダー）の斜視図。
図１６は、付け替え用係止具（フック）の斜視図。
図１７は、付け替え用係止具（バッグ）の斜視図。
図１８は、付け替え用係止具（保冷容器）の斜視図。
図１９は、リング状部材から成る係止具を備えた吊下支持具の収納状態の斜視図。
図２０は、リング状部材から成る係止具を備えた吊下支持具の展開状態の斜視図。
図２１は、図１９及び図２０の吊下支持具における継手部分の要部拡大断面図。
図２２は、図１９及び図２０の吊下支持具の使用状態を示す説明図。
図２３は、リング状部材の変更例を示す断面図。
図２４は、係止具がカバー部材を備えた吊下支持具の分解斜視図。
図２５は、係止具が略Ｃ字状のカバー部材を備えた吊下支持具の分解斜視図。
【図１】
2002040763.tif 000003
【図２】
2002040763.tif 000004
【図３】
2002040763.tif 000005
【図４】
2002040763.tif 000006
【図５】
2002040763.tif 000007
【図６】
2002040763.tif 000008
【図７】
2002040763.tif 000009
【図８】
2002040763.tif 000010
【図９】
2002040763.tif 000011
【図１０】
2002040763.tif 000012
【図１１】
2002040763.tif 000013
【図１２】
2002040763.tif 000014
【図１３】
2002040763.tif 000015
【図１４】
2002040763.tif 000016
【図１５】
2002040763.tif 000017
【図１６】
2002040763.tif 000018
【図１７】
2002040763.tif 000019
【図１８】
2002040763.tif 000020
【図１９】
2002040763.tif 000021
【図２０】
2002040763.tif 000022
【図２１】
2002040763.tif 000023
【図２２】
2002040763.tif 000024
【図２３】
2002040763.tif 000025
【図２４】
2002040763.tif 000026
【図２５】
2002040763.tif 000027
【国際調査報告】
2002040763.tif 000028
2002040763.tif 000029
2002040763.tif 000030
2002040763.tif 000031